(57)【要約】【課題】鍵を取り出すのに手間のかからない鍵収納具を提供する。【解決手段】本発明の一側面に係る鍵収納具は、鍵類を収納する収納空間を内部に有する収納部本体であって、該収納空間に連通する開口部が一側面に設けられた収納部本体と、滑動部材を有し、前記開口部を閉鎖する第１ポジションと前記開口部を開放する第２ポジションとの間で該滑動部材を滑動させることにより、前記開口部を開閉する開閉機構と、前記滑動部材の前記収納空間に面した側に取り付けられる、前記鍵類を保持する鍵保持部と、を備え、前記収納部本体には、前記滑動部材が前記第２ポジションに位置するときに、前記鍵保持部に保持された前記鍵類が前記収納空間から露出するように、前記第２ポジションより前記開口部の開放方向の位置に、前記鍵類の露出口が設けられる。【選択図】図１
2017029557.tif 000002
【特許請求の範囲】
【請求項１】
鍵類を収納する収納空間を内部に有する収納部本体であって、該収納空間に連通する開口部が一側面に設けられた収納部本体と、
滑動部材を有し、前記開口部を閉鎖する第１ポジションと前記開口部を開放する第２ポジションとの間で該滑動部材を滑動させることにより、前記開口部を開閉する開閉機構と、
前記滑動部材の前記収納空間に面した側に取り付けられる、前記鍵類を保持する鍵保持部と、
を備える鍵収納具であって、
前記収納部本体には、前記滑動部材が前記第２ポジションに位置するときに、前記鍵保持部に保持された前記鍵類が前記収納空間から露出するように、前記第２ポジションより前記開口部の開放方向の位置に、前記鍵類の露出口が設けられる、
鍵収納具。
【請求項２】
前記鍵保持部は、前記滑動部材から着脱可能に構成される、
請求項１に記載の鍵収納具。
【請求項３】
前記開閉機構は、スライドファスナーであり、
前記滑動部材は、両面スライダーであり、
前記鍵保持部は、前記滑動部材の前記収納空間に面した側に設けられる引手に取り付けられる、
請求項１又は２に記載の鍵収納具。
【請求項４】
他部材に取り付けられることで、該他部材との間に鍵類を収納する収納空間を形成する本体部であって、該収納空間に連通する開口部が設けられた板状の本体部と、
滑動部材を有し、前記開口部を閉鎖する第１ポジションと前記開口部を開放する第２ポジションとの間で該滑動部材を滑動させることにより、前記開口部を開閉する開閉機構と、
前記滑動部材の前記収納空間に面した側に取り付けられる、前記鍵類を保持する鍵保持部と、
を備える鍵収納具形成片であって、
前記本体部を前記他部材に取り付けた場合に、前記滑動部材が前記第２ポジションに位置するときに、前記鍵保持部に保持された前記鍵類を前記収納空間から露出させるための露出口が、前記第２ポジションより前記開口部の開放方向の位置に形成されるように構成された、
鍵収納具形成片。
【発明の詳細な説明】
【技術分野】
【０００１】
本発明は、鍵収納具及び鍵収納具形成片の技術に関する。
【背景技術】
【０００２】
従来、鍵（キー）を収納する様々な鍵収納具が提案されている。例えば、特許文献１では、鍵収納具の一例として、三つ折り型のキーケースが提案されている。このキーケースは、中央片、左折返し片、及び右折返し片の３つの板状片で構成されており、左折返し片と右折返し片とを中央片の方に折り返すことで、中央片に設けられたキーホルダ本体に取り付けられた鍵が収納される。
【先行技術文献】
【特許文献】
【０００３】
【特許文献１】国際公開第２０１０／００７７３７号
【発明の概要】
【発明が解決しようとする課題】
【０００４】
特許文献１で例示されるような三つ折り型のキーケースでは、左折返し片と右折返し片とを中央片の方に折り返すことにより、鍵を収納する収納部が形成される。そのため、右折返し片を中央片から離間する方向に開放する工程、及び左折返し片を中央片から離間する方向に開放する工程の２つの工程を経なければ、収納部に収納した鍵を取り出すことができなかった。したがって、従来のキーケースでは、収納部に収納した鍵を取り出すのに手間がかかるという問題点があった。
【０００５】
本発明は、一側面では、このような点を考慮してなされたものであり、その目的は、鍵を取り出すのに手間のかからない鍵収納具を提供することである。
【課題を解決するための手段】
【０００６】
本発明は、上述した課題を解決するために、以下の構成を採用する。
【０００７】
すなわち、本発明の一側面に係る鍵収納具は、鍵類を収納する収納空間を内部に有する収納部本体であって、該収納空間に連通する開口部が一側面に設けられた収納部本体と、滑動部材を有し、前記開口部を閉鎖する第１ポジションと前記開口部を開放する第２ポジションとの間で該滑動部材を滑動させることにより、前記開口部を開閉する開閉機構と、前記滑動部材の前記収納空間に面した側に取り付けられる、前記鍵類を保持する鍵保持部と、を備え、前記収納部本体には、前記滑動部材が前記第２ポジションに位置するときに、前記鍵保持部に保持された前記鍵類が前記収納空間から露出するように、前記第２ポジションより前記開口部の開放方向の位置に、前記鍵類の露出口が設けられる。
【０００８】
上記構成では、鍵類を収納する収納空間を有する収納部本体に設けられた開口部を開閉自在にするため、開口部を閉鎖する第１ポジションと開口部を開放する第２ポジションとの間を滑動する滑動部材を有する開閉機構が設けられる。また、鍵類を保持する鍵保持部は、この開閉機構の滑動部材の収納空間に面した側に取り付けられる。そして、収納部本体には、第２ポジションに滑動部材が位置するときに、鍵保持部に保持された鍵類が収納空間から露出するように、第２ポジションより開口部の開放方向の位置に、鍵類の露出口が設けられる。
【０００９】
そのため、上記構成では、滑動部材を第１ポジションに滑動させることで、収納部本体に設けられた開口部を閉鎖し、鍵類を収納空間に収納することができる。一方、滑動部材を第２ポジションに滑動させることで、収納空間に収納されていた鍵類を露出口から露出させることができる。すなわち、上記構成では、第１ポジションから第２ポジションに滑動部材を滑動させるという１つの工程で、収納部本体に収納されていた鍵類を取り出すことができる。したがって、上記構成によれば、鍵を取り出すのに手間のかからない鍵収納具を提供することができる。
【００１０】
また、上記一側面に係る鍵収納具の別の形態として、上記鍵保持部は、上記滑動部材から着脱可能に構成されてよい。当該構成では、鍵保持部は滑動部材から着脱可能に構成されるため、鍵保持部に保持された鍵類を利用する際に、当該鍵保持部を滑動部材から取り外すことができる。したがって、当該構成によれば、鍵収納具の本体が鍵の利用の邪魔になるのを避けることができるため、操作性に優れた鍵収納具を提供することができる。
【００１１】
また、上記一側面に係る鍵収納具の別の形態として、上記開閉機構はスライドファスナーであってよく、上記滑動部材は両面スライダーであってよい。そして、上記鍵保持部は、上記滑動部材の収納空間に面した側に設けられる引手に取り付けられてよい。当該構成によれば、既存のスライドファスナーと両面スライダーとを利用することができるため、鍵収納具を安価に作製することができる。
【００１２】
また、上記一側面に係る鍵収納具の別の形態として、本発明の一側面に係る鍵収納具形成片は、他部材に取り付けられることで、該他部材との間に鍵類を収納する収納空間を形成する本体部であって、該収納空間に連通する開口部が設けられた板状の本体部と、滑動部材を有し、前記開口部を閉鎖する第１ポジションと前記開口部を開放する第２ポジションとの間で該滑動部材を滑動させることにより、前記開口部を開閉する開閉機構と、前記滑動部材の前記収納空間に面した側に取り付けられる、前記鍵類を保持する鍵保持部と、を備え、前記本体部を前記他部材に取り付けた場合に、前記滑動部材が前記第２ポジションに位置するときに、前記鍵保持部に保持された前記鍵類を前記収納空間から露出させるための露出口が、前記第２ポジションより前記開口部の開放方向の位置に形成されるように構成される。当該構成によれば、上記と同様の理由により、鍵を取り出すのに手間のかからない鍵収納具を提供することができる。
【発明の効果】
【００１３】
本発明によれば、鍵を取り出すのに手間のかからない鍵収納具を提供することができる。
【図面の簡単な説明】
【００１４】
【図１】図１は、実施の形態に係るキーケースを例示する後方分解斜視図である。
【図２】図２は、実施の形態に係るキーケースを模式的に例示する。
【図３】図３は、実施の形態に係るキーケース（第１ポジション）を例示する正面図である。
【図４】図４は、実施の形態に係る第１スリーブ片の裏面を例示する。
【図５】図５は、実施の形態に係るキーケース（第２ポジション）を例示する正面図である。
【図６Ａ】図６Ａは、他の形態に係る鍵保持部（取り付け状態）を例示する。
【図６Ｂ】図６Ｂは、他の形態に係る鍵保持部（取り外し状態）を例示する。
【図７】図７は、他の形態に係る鍵保持部を例示する。
【図８】図８は、他の形態に係る鍵保持具（鞄）を模式的に例示する。
【図９】図９は、他の形態に係る鍵保持具（衣類）を模式的に例示する。
【発明を実施するための形態】
【００１５】
以下、本発明の一側面に係る実施の形態（以下、「本実施形態」とも表記する）を、図面に基づいて説明する。ただし、以下で説明する本実施形態は、あらゆる点において本発明の例示に過ぎない。本発明の範囲を逸脱することなく種々の改良や変形が行われてもよい。つまり、本発明の実施にあたって、実施形態に応じた具体的構成が適宜採用されてもよい。
【００１６】
§１  構成例
まず、図１〜図５を用いて、本実施形態に係るキーケース１の構成例を説明する。図１は、本実施形態に係るキーケース１を例示する後方分解斜視図である。図２は、本実施形態に係るキーケース１を組み立てた状態を模式的に例示する。図３は、本実施形態に係るキーケース１（閉鎖状態）を例示する正面図である。図４は、本実施形態に係るキーケース１の第１スリーブ片２の裏面２４を例示する。図５は、本実施形態に係るキーケース（開放状態）を例示する正面図である。なお、以下の説明では、説明の便宜のため、各図の上下方向を「上下」と、各図の左右方向を「左右」とも称することとする。
【００１７】
図１に例示されるように、本実施形態に係るキーケース１は、板状の第１スリーブ片２と板状の第２スリーブ片５とを備えている。この第１スリーブ片２及び第２スリーブ片５は、共に面直方向にやや湾曲しており、それぞれの湾曲している方の面が外側を向くように左右両側の側辺で縫い合わされている。そのため、図２に例示されるように、本実施形態に係るキーケース１の収納部本体１０は、上下方向に開口したスリーブ状に形成される。
【００１８】
この収納部本体１０は、図１及び図２に例示されるように、上側に第１開口１１を有しており、下側に第２開口１２を有している。また、収納部本体１０は、１又は複数の鍵類を収納する扁平状の収納空間１３を内部に有している。そのため、本実施形態に係るキーケース１は、この収納空間１３に１又は複数の鍵類を収納して、持ち運ぶことができる。このキーケース１は、本発明の「鍵収納具」に相当する。以下、このようなキーケース１を構成する第１スリーブ片２及び第２スリーブ片５について詳細に説明する。
【００１９】
［第１スリーブ片］
まず、第１スリーブ片２について説明する。図１〜図４に例示されるように、本実施形態に係る第１スリーブ片２は、矩形状の本体部２１と、表面２３から裏面２４へ貫通する開口部２２と、を有している。
【００２０】
本体部２１は、面直方向の表面２３側にやや湾曲しており、この本体部２１に設けられる開口部２２は、収納空間１３に連通している。そのため、本体部２１の面は、本発明の収納部本体の「一側面」に相当する。本実施形態では、開口部２２は上下方向に直線状に延びており、この開口部２２を開閉自在にするため、スライドファスナー３が設けられている。
【００２１】
＜スライドファスナー＞
スライドファスナー３は、両面スライダー３３を有しており、この両面スライダー３３を上下方向に滑動させることにより、開口部２２を開閉可能に構成されている。そのため、このスライドファスナー３は本発明の「開閉機構」に相当し、両面スライダー３３は本発明の「滑動部材」に相当する。スライドファスナー３は、単にファスナーと称されてもよいし、ジッパー、ジップファスナー等と称されてもよい。
【００２２】
本実施形態では、スライドファスナー３は、いわゆる樹脂製のコイルファスナーであり、図４に例示されるように、開口部２２の両縁に対向して配置された第１エレメント列３１と第２エレメント列３２とを有している。ただし、スライドファスナー３の種類は、このような例に限定されなくてもよく、実施の形態に応じて適宜選択されてよい。スライドファスナー３は、例えば、金属製のファスナーであってもよい。
【００２３】
なお、市販のコイルファスナーは安価である。そのため、スライドファスナー３にコイルファスナーを利用することで、キーケース１を安価に作製することができる。ただし、コイルファスナーは見栄えがしないため、コイルファスナーを利用することでキーケース１全体の見栄えが損なわれてしまう可能性がある。
【００２４】
そこで、本実施形態では、図３に例示されるように、キーケース１の外観側、すなわち、第１スリーブ片２の表面２３側において、スライドファスナー３のテープを、両エレメント列（３１、３２）を隠すように配置している。これによって、本実施形態では、両エレメント列（３１、３２）をキーケース１の外観上で露出しないようにすることができるため、コイルファスナーを利用しても、キーケース１の見栄えが損なわないようにすることができる。
【００２５】
このスライドファスナー３の両面スライダー３３は、上翼板と下翼板とで構成された胴体部３３１を有しており、上下方向に滑動する際に、両エレメント列（３１、３２）の各エレメントをこの胴体部３３１がかみ合わせたり引き離したりする。これによって、スライドファスナー３は、両面スライダー３３により開口部２２を開閉することができる。
【００２６】
詳細には、図１〜図４に例示されるように、両面スライダー３３を上止部３４に接するように配置することで、開口部２２を完全に閉鎖することができる。この両面スライダー３３の上止部３４に接する位置は、本発明の「第１ポジション」に相当する。また、図５に例示されるように、両面スライダー３３を下止部３５に接するように配置することで、開口部２２を完全に開放することができる。この両面スライダー３３の下止部３５に接する位置は、本発明の「第２ポジション」に相当する。すなわち、スライドファスナー３によれば、両面スライダー３３をこの上止部３４と下止部３５との間で移動させることで、開口部２２を開閉することができる。
【００２７】
図３に例示されるように、この両面スライダー３３の表面２３側には、第１柱部３３２が設けられており、この第１柱部３３２によって、矩形状の第１引手３３３が取り付けられている。キーケース１の利用者は、この第１引手３３３を把持して、両面スライダー３３に上下方向（すなわち、開口部２２の開閉方向）に力をかけることによって、両面スライダー３３を上下方向に滑動させることができる。
【００２８】
一方、図４に例示されるように、両面スライダー３３の裏面２４側、換言すると、収納空間１３に面した側には、第２柱部３３４が設けられており、この第２柱部３３４によって、矩形状の第２引手３３５が取り付けられている。更に、この第２引手３３５には矩形状の開口が設けられており、この開口により、第２引手３３５には、鍵類を保持するための鍵保持部４が取り付けられている。
【００２９】
＜鍵保持部＞
図１〜図４に例示されるように、本実施形態に係る鍵保持部４は、第１スリーブ片２の裏面２４側、換言すると、収納空間１３側に配置される。この鍵保持部４は、大径の平リング４３と、当該平リング４３より小径の複数の二重リング４４と、を備えている。
【００３０】
二重リング４４には、図６に例示されるように、鍵類６が取り付けられる。二重リング４４に取り付け可能な鍵類６は、特に制限されなくてよく、実施の形態に応じて適宜選択されてよい。例えば、鍵類６は、一般的なシリンダーキー、ディンプルキー等の鍵単体であってもよい。また、鍵類６は、キーホルダを取り付けた鍵であってもよい。更に、鍵類６は、鍵以外の小物であってもよい。
【００３１】
なお、本実施形態では、平リング４３には、４つの二重リング４４が取り付けられている。そのため、１つの二重リング４４に１つの鍵類６を対応させた場合には、鍵保持部４は、４つの鍵類６を保持することができる。しかしながら、鍵保持部４の利用形態は、このような例に限定されなくてもよく、実施の形態に応じて適宜選択されてよい。
【００３２】
例えば、平リング４３に取り付けられる二重リング４４の数は、３つ以下であってもよいし、５つ以上であってもよい。また、１つの二重リング４４には、２つ以上の鍵類６が取り付けられてもよい。更に、１又は複数の鍵類６が、二重リング４４を介さずに、平リング４３に直接取り付けられてもよい。
【００３３】
各二重リング４４は、平リング４３に取り付けられていることで、ひとまとまりになっている。また、平リング４３は、矩形状のバンド体４２に把持されており、バンド体４２は留め具４１によって第２引手３３５に連結されている。そのため、本実施形態に係る鍵保持部４は、各二重リング４４に取り付けた鍵類６をひとまとまりで保持した上で、両面スライダー３３の第２引手３３５に取り付けられている。
【００３４】
＜その他＞
このような第１スリーブ片２には、天然皮革、合成皮革等の革材、紙、樹脂、織布等の多様な材料が用いられてよい。この第１スリーブ片２は、例えば、次のように作製することができる。すなわち、それぞれ面直方向に湾曲させた２枚の板状の革材と、両面スライダーを有する市販のスライドファスナーと、を用意する。次に、２枚の革材の略中央に開口部２２用の開口を設け、当該開口に位置合わせした上で２枚の革材の間にスライドファスナーを配置する。スライドファスナーは、各エレメント列が外側に向かないように、裏返しに利用するのが好ましい。そして、２枚の革材とスライドファスナーとを適宜縫い合わせ、両面スライダーの裏面側の引手に、適宜、平リング等を取り付ける。これによって、第１スリーブ片２を作製することができる。
【００３５】
［第２スリーブ片］
次に、第２スリーブ片５について説明する。図１に例示されるように、本実施形態に係る第２スリーブ片５は、第１スリーブ片２と同形の本体部５１を有している。第２スリーブ片５の外側の側面（図１の紙面手前側の側面）には、フラップ片５２が上端の位置を揃えて縫い付けられている。そして、このフラップ片５２は、リング状金具５４を把持するように、留め具５３によって本体部５１に下端側を固定されている。
【００３６】
これによって、本実施形態に係るキーケース１では、利用者がスライドファスナー３を操作する側の面（第１スリーブ片２の表面２３）とは反対側の面に、リング状金具５４が取り付けられる。そのため、このリング状金具５４は、利用者によるスライドファスナー３の操作を邪魔することなく、ナスカン、クリップ、チェーン等で、利用者の身辺、カバン等にキーケース１を連結するのに利用することができる。
【００３７】
このような第２スリーブ片５には、上記第１スリーブ片２と同様に、天然皮革、合成皮革等の革材、紙、樹脂、織布等の多様な材料が用いられてよい。この第２スリーブ片５は、例えば、次のように作製することができる。すなわち、それぞれ面直方向に湾曲させた２枚の板状の革材を用意し、２枚の革材の周囲を縫い合わせる。そして、フラップ片と留め具とでリング状金具を適宜革材に取り付ける。これによって、第２スリーブ片５を作製することができる。
【００３８】
§２  使用方法
次に、本実施形態に係るキーケース１の使用方法について説明する。以下では、キーケース１に所望の鍵類６を収納する方法、及びキーケース１内に収納した鍵類６を取り出す方法について説明する。
【００３９】
＜収納方法＞
まず、キーケース１内に所望の鍵類６を収納する方法について説明する。上記のとおり、本実施形態に係るキーケース１は、上記第１スリーブ片２と第２スリーブ片５とを左右の両側辺で連結することで形成される。このとき、第１スリーブ片２と第２スリーブ片５との間には、上側の第１開口１１と下側の第２開口１２とに連通する収納空間１３が形成される。
【００４０】
また、第１スリーブ片２の本体部２１には、この収納空間１３に連通する開口部２２が設けられており、この開口部２２には、当該開口部２２を開閉可能にするため、両面スライダー３３を含むスライドファスナー３が設けられている。そして、この両面スライダー３３の収納空間１３に面した側に、鍵類６を取り付け可能な複数の二重リング４４含む鍵保持部４が取り付けられている。
【００４１】
そのため、キーケース１に所望の鍵類６を収納する場合には、キーケース１の利用者は、各二重リング４４に所望の鍵類６を適宜取り付ける。例えば、利用者は、鍵保持部４の平リング４３及び二重リング４４を開口部２２から表側に取り出すことで、各二重リング４４を手元に近付けて、所望の鍵類６を各二重リング４４に取り付けることができる。また、後述するように、第１開口１１又は第２開口１２を介して各二重リング４４を収納空間１３から露出させることで、各二重リング４４を手元に近付けて、所望の鍵類６を各二重リング４４に取り付けることができる。
【００４２】
そして、利用者は、両面スライダー３３の表側に取り付けられた第１引手３３３を把持して、両面スライダー３３に上方向の力をかける。これによって、両面スライダー３３は上方向（開口部２２の閉鎖方向）に滑動し、上止部３４に接する位置（第１ポジション）まで移動することができる。
【００４３】
図１〜図４に例示されるように、両面スライダー３３を第１ポジションまで移動させると、収納空間１３に連通する開口部２２は閉鎖される。また、両面スライダー３３の移動に伴い、両面スライダー３３の第２引手３３５に取り付けられた鍵保持部４も第１ポジション付近に移動する。そのため、鍵保持部４に保持された各鍵類６は、収納空間１３内に収納される。
【００４４】
なお、このとき、鍵保持部４は、開口部２２の閉鎖方向（各図の上方向）に配置された第１開口１１に近接する。また、第１ポジションの鍵保持部４と第１開口１１との位置関係は、後述する第２ポジションの鍵保持部４と第２開口１２との位置関係と同様に構成されている。そのため、利用者は、収納部本体１０内（収納空間１３）で各鍵類６が詰まったりした場合には、この第１開口１１を介して、収納空間１３に収納された各鍵類６に触れて、操作することができる。更には、利用者は、この第１開口１１を介して、各鍵類６を取り出すことができる。
【００４５】
＜取り出し方法＞
次に、キーケース１内（収納空間１３）に収納された各鍵類６を取り出す方法について説明する。キーケース１内に収納された各鍵類６を取り出す場合には、利用者は、両面スライダー３３の表側に取り付けられた第１引手３３３を把持して、両面スライダー３３に下方向の力をかける。これによって、両面スライダー３３は下方向（開口部２２の開放方向）に滑動し、下止部３５に接する位置（第２ポジション）まで移動することができる。
【００４６】
ここで、本実施形態では、収納部本体１０には、第２ポジションより開口部２２の開放方向（各図の下方向）の位置に、第２開口１２が設けられている。図５に例示されるように、第２開口１２は、両面スライダー３３が第２ポジションに位置するときに、鍵保持部４に保持された鍵類６が収納空間１３から露出するように配置されている。
【００４７】
そのため、両面スライダー３３を第２ポジションまで移動させると、この両面スライダー３３の移動に伴い、鍵保持部４も第２ポジション付近に移動する。そして、鍵保持部４が第２ポジション付近に移動すると、鍵保持部４の各二重リング４４に取り付けられた各鍵類６は、第２開口１２を介して、収納空間１３から外部に露出する。これにより、利用者は、キーケース１内に収納された各鍵類６を取り出すことができる。
【００４８】
なお、本実施形態では、両面スライダー３３を上方向に移動させた場合に、開口部２２が閉鎖され、各鍵類６が収納空間１３に収納される。そのため、各図に例示されるように、鍵保持部４の平リング４３及び各二重リング４４は、通常の状態では、両面スライダー３３の下方向にぶら下がっている。
【００４９】
したがって、両面スライダー３３を第２ポジションまで移動させると、鍵保持部４の平リング４３及び各二重リング４４は、第２ポジションよりも下方に移動する。これによって、本実施形態に係るキーケース１は、第２開口１２を介して各鍵類６が取り出し易いように構成されている。
【００５０】
また、本実施形態では、図５に例示されるように、鍵類６が収納空間１３から露出するのに伴い、鍵保持部４の平リング４３及び各二重リング４４も第２開口１２を介して収納空間１３から外側に露出している。しかしながら、収納空間１３から各鍵類６は利用可能な程度に露出すればよく、第２ポジションの鍵保持部４と第２開口１２との位置関係は、このような例に限定されなくてもよい。
【００５１】
例えば、第２引手３３５の大きさ、バンド体４２の長さ、平リング４３の大きさ、二重リング４４の大きさ、スライドファスナー３の下止部３５と本体部２１の下端部との間の距離等を適宜調節することで、収納空間１３から各鍵類６が露出するようにキーケース１を構成することができる。なお、この第２開口１２は、本発明の「鍵類の露出口」に相当する。
【００５２】
［作用・効果］
以上のとおり、本実施形態に係るキーケース１では、両面スライダー３３の収納空間１３側に鍵保持部４が取り付けられ、開口部２２の開放方向には、鍵類６の露出口として、第２開口１２が設けられている。そのため、本実施形態に係るキーケース１によれば、両面スライダー３３を第２ポジションに滑動させるという１つの工程で、収納部本体１０に収納されていた鍵類６を、第２開口１２を介して取り出すことができる。したがって、本実施形態によれば、鍵を取り出すのに手間のかからない鍵収納具を提供することができる。
【００５３】
また、本実施形態では、スライドファスナー３及び両面スライダー３３を利用して、上記キーケース１の構成が実現されている。したがって、本実施形態によれば、既存のスライドファスナーと両面スライダーとを利用して、上記キーケース１の構成を実現することができるため、上記キーケース１を安価に作製することができる。
【００５４】
§３  変形例
以上、本発明の実施形態を説明してきたが、前述までの説明はあらゆる点において本発明の例示に過ぎない。本発明の範囲を逸脱することなく種々の改良や変形を行うことができることは言うまでもない。また、上記キーケース１の各構成要素に関して、実施の形態に応じて、適宜、構成要素の省略、置換、及び追加が行われてもよい。上記キーケース１の各構成要素の形状及び大きさは、実施の形態に応じて、適宜設定されてもよい。更に、上記キーケース１の各構成要素の素材は、実施の形態に応じて、適宜選択されてよい。例えば、以下の変更が可能である。なお、以下で説明する変形例では、上記実施形態と同様の構成要素に関しては同様の符号を用い、適宜説明を省略した。
【００５５】
＜３．１＞
キーケース１を身辺等に連結した場合、後述するカバン１ａ、ズボン１ｂ等の形態で鍵収納具を構成した場合、鍵保持部４が両面スライダー３３に連結されたままでは、各鍵類６を利用し辛い可能性がある。そのため、鍵保持部４は、両面スライダー３３（滑動部材）から着脱可能に構成されてよい。
【００５６】
図６Ａ及び図６Ｂを用いて、この変形例について詳細に説明する。図６Ａ及び図６Ｂは、本変形例に係る鍵保持部４ａを例示する。この鍵保持部４ａは、バックル４５によって着脱可能に構成されており、上記鍵保持部４の代わりに、両面スライダー３３の第２引手３３５に取り付けられる。
【００５７】
詳細には、バックル４５は、ケース部材４５１と、このケース部材４５１に差し込むための差込部材４５２と、を備えている。ケース部材４５１は、スライダー側バンド体４２１を介して、留め具４１により第２引手３３５に取り付けられる。一方、差込部材４５２には、キー側バンド体４２２を介して、平リング４３が取り付けられている。
【００５８】
これにより、図６Ｂに例示されるように、バックル４５を操作して、ケース部材４５１から差込部材４５２を取り外すことで、鍵保持部４を両面スライダー３３から取り外すことができる。一方、図６Ａに例示されるように、差込部材４５２をケース部材４５１に差し込むことで、鍵保持部４を両面スライダー３３に取り付け、各鍵類６をキーケース１内に収納することができる。
【００５９】
このように、鍵保持部４ａを、特に、鍵保持部４ａの各鍵類６の取り付けられた部分を両面スライダー３３から着脱可能に構成することで、鍵保持部４ａに保持された各鍵類６の操作性に優れたキーケース１を提供することができる。具体的には、鍵保持部４ａに保持された各鍵類６を利用する際に、当該鍵保持部４ａを両面スライダー３３から取り外すことで、両面スライダー３３との連結から各鍵類６を開放する。これにより、キーケース１の収納部本体１０等が各鍵類６の利用の邪魔になるのを避けることができ、各鍵類６の操作性を高めることができる。
【００６０】
なお、図６Ａ及び図６Ｂで例示されるバックル４５のタイプは、サイドリリースタイプである。しかしながら、バックル４５のタイプは、このような例に限られなくてもよく、実施の形態に応じて適宜選択されてよい。例えば、バックル４５のタイプは、フロントリリースタイプであってもよい。
【００６１】
また、本変形例では、鍵保持部４を着脱可能に構成するため、バックル４５が用いられている。しかしながら、鍵保持部４を着脱可能にする構成は、このような例に限定されなくてもよい。鍵保持部４を着脱可能に構成するために、バックル４５以外の部材が用いられてもよい。
【００６２】
＜３．２＞
また、上記実施形態では、鍵保持部４は、平リング４３と二重リング４４とによって構成されている。しかしながら、鍵保持部４の構成は、このような例に限定されなくてもよく、実施の形態に応じて適宜選択されてよい。
【００６３】
なお、上記実施形態のように２つのリング部材で鍵保持部４を構成した場合には、鍵保持部４が嵩張ってしまう可能性がある。具体的には、二重リング４４が平リング４３に直交し、二重リング４４の径の分だけ、収納空間１３を圧迫してしまう可能性がある。そこで、例えば、以下の図７のように、鍵保持部４を扁平に構成してもよい。
【００６４】
図７は、本変形例に係る鍵保持部４ｂを例示する。図７で例示される鍵保持部４ｂは、扁平で扇状の台座部４６と、台座部４６に取り付けられる複数のナスカン４７と、で構成されている。このように構成することで、２つのリング部材が直交するのを避けることができ、鍵保持部４ｂを扁平に構成することができる。そのため、鍵保持部４ｂが嵩張らないようにすることができ、キーケース１内の収納空間１３の活用性を高めることができる。
【００６５】
＜３．３＞
また、上記実施形態では、本発明の「開閉機構」の一形態として、スライドファスナー３を例示した。更に、本発明の「滑動部材」の一形態として、両面スライダー３３を例示した。しかしながら、本発明の「開閉機構」及び「滑動部材」は、このような例に限定されなくてもよく、実施の形態に応じて適宜選択されてよい。
【００６６】
ここで、上記のとおり、滑動部材の収納空間１３に面した側には、鍵類６を保持するための鍵保持部４が取り付けられる。そのため、開閉機構は、鍵保持部４に鍵類６を取り付けた場合に、滑動部材が自然に滑動しないように、開口部２２の開閉方向にある程度の力が滑動部材に作用しないと、当該滑動部材が開閉方向に滑動しないように構成されるのが好ましい。すなわち、開閉機構は、開口部２２の開閉方向にある程度の力を滑動部材に対してかけることで、当該滑動部材を滑動させることができるように構成されるのが好ましい。
【００６７】
なお、両面スライダー３３以外の滑動部材が利用される場合には、鍵保持部４は、任意の方法によって、滑動部材の収納空間１３に面した側に適宜取り付けられてよい。例えば、滑動部材が金属製である場合には、鍵保持部４は、溶接等で、滑動部材に取り付けられてよい。
【００６８】
＜３．４＞
また、上記実施形態では、本発明の「鍵収納具」の一形態として、キーケース１を例示した。しかしながら、本発明の「鍵収納具」の形態は、このような例に限定されなくてもよく、実施の形態に応じて適宜選択されてよい。例えば、以下の図８及び図９に例示される形態を挙げることができる。
【００６９】
図８は、鍵保持具の他の形態として、カバン１ａを例示する。このように、鍵保持具は、カバン１ａの部分として構成してもよい。このようなカバン１ａは、例えば、カバン１ａの外側壁に上記第１スリーブ片２を縫い付けることで、形成することができる。また、例えば、カバン１ａは、直線状の開口部を設けて、その開口部に上記スライドファスナー３を取り付け、開口部の開放方向に切り込み（第２開口１２）を設けることで、形成することができる。
【００７０】
また、図９は、鍵保持具の他の形態として、ズボン１ｂを例示する。このように、鍵保持具は、ズボン、上着等の衣類の部分として構成してもよい。なお、このようなズボン１ｂは、例えば、ズボン１ｂの布地の適当な領域に上記第１スリーブ片２を縫い付けることで、形成することができる。
【００７１】
＜３．５＞
また、上記実施形態では、第１スリーブ片２を第２スリーブ片５に取り付けることで、第２スリーブ片５との間で鍵類６を収納する収納空間１３が形成される。この第１スリーブ片２は本発明の「鍵収納具形成片」に相当し、第２スリーブ片５は「他部材」に相当する。そのため、上記第２スリーブ片５を他の部材に取り替えても、上記キーケース１と同様の鍵保持具を形成することができる。
【００７２】
すなわち、上記第１スリーブ片２を上記第２スリーブ片５以外の部材に取り付けることによって、上記キーケース１と同様の鍵保持具を形成することができる。例えば、上記＜３．４＞に記載のとおり、第１スリーブ片２をカバンの外側壁又は衣類の布地に取り付けることで、カバン又は衣類の一部で鍵保持具を形成することができる。
【００７３】
ここで、第１スリーブ片２の本体部２１を他部材に取り付ける場合には、本体部２１の下端部を閉じないようにする。これにより、両面スライダー３３が第２ポジションに位置するときに、鍵保持部４に保持された各鍵類６を収納空間１３から露出するための露出口（第２開口１２）を、第２ポジションより開口部２２の開放方向の位置に形成することができる。なお、本体部２１の上端部は、閉じてもよいし、上記実施形態と同様に閉じなくてもよい。
【００７４】
＜３．６＞
また、上記実施形態では、第１スリーブ片２と第２スリーブ片５とは、縫製により連結されている。しかしながら、各構成要素を連結する手法は、このような縫製に限られず、実施の形態に応じて適宜選択されてよい。例えば、接着剤等によって、各構成要素を連結してもよい。
【００７５】
＜３．７＞
また、上記実施形態では、本発明の「鍵類の露出口」に相当する第２開口１２は、第１スリーブ片２と第２スリーブ片５とを左右両側の側辺で縫い合わせ、下端側を開放することで形成される。しかしながら、この鍵類の露出口を形成する方法は、このような例に限られなくてよく、実施の形態に応じて適宜選択されてよい。例えば、収納部本体１０として、密封の袋体が利用される場合には、この袋体に取り付けられたファスナーの開放方向側に切り込みを入れることで、鍵類の露出口を形成してもよい。
【符号の説明】
【００７６】
１…キーケース、１ａ…カバン、１ｂ…ズボン、
１０…収納部本体、１１…第１開口、１２…第２開口、１３…収納空間、
２…第１スリーブ片、
２１…本体部、２２…開口部、２３…表面、２４…裏面、
３…スライドファスナー、
３１…第１エレメント列、３２…第２エレメント列、
３３…両面スライダー、
３３１…胴体部、３３２…第１柱部、３３３…第１引手、
３３４…第２柱部、３３５…第２引手、
３４…上止部、３５…下止部、
４…鍵保持部、
４１…留め具、４２…バンド体、４３…平リング、４４…二重リング、
５…第２スリーブ片、
５１…本体部、５２…フラップ片、５３…留め具、５４…リング状金具、
６…鍵類、
４ａ…鍵保持部、
４２１…スライダー側バンド体、４２２…キー側バンド体、
４５…バックル、４５１…ケース部材、４５２…差込部材、
４ｂ…鍵保持部、
４６…台座部、４７…ナスカン
【図１】
2017029557.tif 000003
【図６Ａ】
2017029557.tif 000004
【図６Ｂ】
2017029557.tif 000005
【図７】
2017029557.tif 000006
【図８】
2017029557.tif 000007
【図９】
2017029557.tif 000008
【図２】
2017029557.tif 000009
【図３】
2017029557.tif 000010
【図４】
2017029557.tif 000011
【図５】
2017029557.tif 000012